(57)【要約】電磁信号を発信する少なくとも一つの発信ユニット（２）および前記電磁信号を受信する受信装置（３）から構成される型の、所持品および同様のものを管理するための装置であって、前記発信ユニット（２）は前記品目（１５）の一つに接続が可能であり、および前記受信装置（３）は携帯式および持ち運びに適合し、および前記受信装置（３）と前記発信ユニット（２）の間の距離閾値の超過を信号伝達するよう適合する信号伝達手段（６）から構成され、前記受信装置（３）は携帯電話と一体化が可能であり、および前記発信装置（２）を識別するよう適合するような装置。【選択図】図１
2010504574.tif 000002
【特許請求の範囲】
【請求項１】
電磁信号を発信する少なくとも一つの発信ユニット（２）および前記電磁信号を受信する受信装置（３）から構成される型の、所持品および同様のものを管理するための装置であって、前記発信ユニット（２）は前記品目（１５）の一つに接続され、および前記受信装置（３）は携帯および持ち運びに適合することを特徴とし、および前記受信装置（３）と前記発信ユニット（２）の間の少なくとも一つの距離閾値の超過を信号伝達するよう適合する信号伝達手段（６）から構成され、前記受信装置（３）は前記発信装置（２）を識別するよう適合するような装置。
【請求項２】
前記受信装置（２）は携帯電話に一体化される、請求項１に記載の装置。
【請求項３】
前記発信装置（２）は、前記ユニット（２）と前記品目（１５）の一つを接続するのに適合する接続装置（８）から構成される、前記品目（１５）の一つと連結されることが可能である取り外し可能なシェルから構成される、請求項１に記載の装置。
【請求項４】
前記発信ユニット（２）および前記受信装置（３）は前記電磁信号の送信および受信の両方に適合する、請求項１に記載の装置。
【請求項５】
前記発信ユニット（２）は、前記閾値より大きい前記受信装置（３）からの距離を信号伝達するのに適合する第二信号伝達手段（１０）から構成される、請求項１に記載の装置。
【請求項６】
前記電磁信号は２〜３ＧＨｚの間の周波数を有する、請求項１に記載の装置。
【請求項７】
前記電磁信号は周波数約２．６ＧＨｚを有する、請求項６に記載の装置。
【請求項８】
前記受信装置（３）は前記発信ユニット（２）からの距離を信号伝達するよう適合する、請求項１に記載の装置。
【請求項９】
受信装置（３）と通信するよう適合する、送信手段（４）および受信手段（１０）から構成される電磁信号を発信するよう適合する型の発信ユニットであって、少なくとも一つの前記受信装置（３）からの距離の閾値が超過していることを信号伝達するよう適合する、信号伝達手段（７）から構成されることを特徴とする、発信ユニット。
【請求項１０】
前記ユニット（２）を前記品目（１５）の一つに接続するよう適合する接続装置（８）から構成される、前記品目（１５）の一つと結合されることが可能である取り外し可能なシェルから構成される、請求項９に記載の発信ユニット。
【請求項１１】
前記電磁信号は周波数約２．６ＧＨｚを有する、請求項１０に記載のユニット。
【請求項１２】
身の回り品目（１５）のための補助要素として、請求項１から１１の一つかそれ以上に記載の発信ユニット（１）の使用。
【請求項１３】
前記品目（１５）の一つと前記受信装置（３）の間の距離閾値の超過を警告するための、請求項１２に記載の使用。
【発明の詳細な説明】
【技術分野】
【０００１】
本発明は所持品およびそれ同等のもの、特に第一請求項の規定に特定されるように、小型品目または所有者によって持ち運びができる品目を管理する装置に関する。
【背景技術】
【０００２】
近年、人々は日常生活において、生活必需品となった様々な小型品目を使用する。
【０００３】
例として、車かつ／また家の鍵、携帯電話、財布、時計、メガネ、ペン、日記、コンピュータメモリ、パームトップ・コンピュータ、小型作業工具、錠剤の小袋、およびその他の品目が挙げられる。
【０００４】
前記の品目は一般的に小型で、およびポケットまたはバッグに収納されることが可能である。
【０００５】
さらに、前記品目は一日の一定の時刻にのみ不可欠であるが、一方で他の時間帯に使用者によって使用されることはない。
【０００６】
それらの品目が示す特徴により、使用者はしばしば一つ以上の品目を所持するのを忘れるので、ゆえに必要となるときに困難に陥る。
【０００７】
この問題は、前記のすべての品目をバッグ、ブリーフケース、またはリュックサックに常に入れておくことによりほぼ解決することができる。しかしながら、使用者はすべての前記品目をいつも持ち歩かなければならないまたは持ち歩きたいわけではなく、およびさらに、バッグまたは同様のものの使用は不便なこともある。
【０００８】
使用者は前記の問題を避けようとするため、記憶の助けになるような方策をしばしば用いる。これらの方策はしかし、いつでも有効ではなく、およびさらに精神的努力が必要となる。
【発明の概要】
【発明が解決しようとする課題】
【０００９】
このような状況で、本発明の技術的な狙いは、上記の欠点をほぼ解決することのできる管理装置を提供することである。
【００１０】
前記技術的な狙いの中での本発明の重要な目的は、一つ以上の前記品目を忘れてしまったか、または置き忘れてしまったかを警告することができる管理装置を得ることである。
【００１１】
技術的な狙いおよび明確な目的は、添付される特許請求項１による所持品および同等品を管理するための装置によって達成される。
【００１２】
好適な実施例は下位クレームにて明確にされる。
【図面の簡単な説明】
【００１３】
さらに、本発明の特徴および利点は、添付の図面の参照とともに本発明の好適な実施例の詳細な説明によって下記によりよく説明される。
【００１４】
【図１】本発明による装置の図式である。
【図２ａ】本発明の第一の実施例のブロック図を示す。
【図２ｂ】本発明の第二の実施例のブロック図を示す。
【図３】本発明による装置の第一部分を示す。および、
【図４】本発明による装置の第二部分である。
【００１５】
上記の図面を参照に、本発明による装置は番号１により全体図が示される。
【００１６】
装置は、相互近接するまたは他のいくつかの品目１５を管理、または必要であれば識別するよう適合される。特に、品目１５は小型だが非常に役立つ品目であり、前述を参照に例として、車の鍵、家の鍵、ドアや門の開放のためのリモートコントローラー、携帯電話、財布、書類、カードやクレジットカード、時計、メガネ、ペン、日記、コンピュータメモリ、パームトップ・コンピュータ、小型作業工具、錠剤や薬剤の小袋、カメラ、バッグ、ブリーフケース、およびその他のものが挙げられる。
【発明を実施するための形態】
【００１７】
装置１は基本的に、品目に接続されることのできる、電磁信号を発信する少なくとも一つの発信ユニット２から構成される。
【００１８】
ユニットは、接続される品目１５の大きさを大きく変えることはないように数センチメートル程度と非常に小さく、および電磁波発信手段４から構成される。
【００１９】
装置１はさらに、携帯用および手動での持ち運びに適し、およびユニット２によって発信される電磁信号を受信するよう適合される受信手段５、および受信装置と少なくとも一つの発信ユニット２との少なくとも一つの閾値より大きい相互距離に信号伝達するよう適合される信号伝達手段６から構成される、電磁信号を受信する受信装置３から構成される。
【００２０】
受信手段５または信号伝達手段６はコマンドで起動または終了されることが可能である。
【００２１】
電磁信号は２〜３ＧＨｚの間の周波数を有することが好ましい。従って信号は電波から成る。
【００２２】
電波としては特に、ブルートゥースとして既知である、周波数約２．６５ＧＨｚの無線信号である。
【００２３】
前記信号は例として、コンピュータ周辺機器のコンピュータ本体への接続、およびヘッドセット、ハンズフリー装置などの携帯電話周辺機器の携帯電話本体への接続である、異なるデバイス間のアンテナ接続などに、今日使用される。
【００２４】
さらに、ブルートゥース信号を基盤とした技術は、今日良く知られておりおよび高度化されたものである。特に、市場に出ている様々な小型サイズデバイスは表示される周波数で電磁波を発信、受信およびデコードが可能である。
【００２５】
ブルートゥース技術を基盤とする携帯電話用の多くの小型ヘッドセットが既知である。
【００２６】
例として、“Ｈ５ミニブルー・ブルートゥース・ワイヤレス・ヘッドセット”という名でモトローラによって製造されるヘッドセットは、重量約７．３ｇ、寸法約４１×４１×３３ｍｍであり、および電磁信号を発信および受信し、それをデコードして処理し、および音響信号を発信することが可能である。
【００２７】
他の例は、 “ブルーモジュール”のブランドで既知である、寸法約９．３×７．３×１．８ｍｍのムラタ・エレクトロニクス製のブルートゥースデバイスがある。
【００２８】
ブルートゥース技術によって、互いから短距離の装置の相互接続が可能である。前記距離は、約１メートルから約１００メートルの間で、信号発信力および他のパラメータによって異なる。
【００２９】
表示される周波数範囲での電波はさらに、障害物、特に壁、天井などを克服することが可能であり、空間のすべての方向において同期的に伝播される。
【００３０】
受信装置３は従って、ユニット２の電磁信号を受信することができ、および信号伝達手段６を経由して装置３からの情報を信号送信することができる。
【００３１】
特に受信手段５は、前記ユニット２からの電磁信号を識別および処理することが可能である電気回路または同様のものから構成される。
【００３２】
受信手段５は従って、電磁信号の距離の少なくとも一部分を検出するよう、および前記電磁信号を発信するユニット２を識別するよう適合する。
【００３３】
特に受信手段５は、同手段５およびユニット２が、一つの特定ユニット２によって発信される電磁信号の存在または不在によって構成される閾値を超えているかどうかを検出することが可能である。
【００３４】
電磁信号の存在は装置３が発信ユニット２によって発信される信号の操作範囲にあることを示し、また、電磁信号の不在は装置３とユニット２の間の距離がユニット２自体によって発信される信号の操作範囲より大きいことを示す。
【００３５】
ブルートゥース信号の場合は、閾値は約１メートルから１００メートルの間の間隔での発信の力によって変化する。
【００３６】
同様の受信手段は通常、ブルートゥース機能が備わる携帯電話にあり、これもまたブルートゥースである装置の電波の存在を検出し、およびその信号をスクリーン上のユーザーに送る。
【００３７】
この例として、サムスンによる製造されかつSGH-Z510として販売される、例としてハンズフリー・ブルートゥース・セルラーラインBTPP４デバイスの存在を検出し、およびそれをスクリーン上に信号送信する携帯電話がある。
【００３８】
信号伝達手段６は音響拡散器６ａ、および電磁信号を表示するための、受信手段５に電気接続されるディスプレイシステム６ｂから構成される。
【００３９】
これらは、少なくともユニット２と装置３の間の相互距離が超過する前記閾値を信号伝達するよう適合される。
【００４０】
特に前記閾値の超過は、好ましくは継続的に選択できる特定の音を発信しうる音響拡散器６ａによって、または特定の光を発信可能なビジュアルセンサーによって、あるいはまた装置３や他の振動のシステムによって信号伝達されることが可能である。
【００４１】
さらに、好ましくはＬＣＤスクリーンまたは同様のものから成るディスプレイシステム６ｂは、前記閾値を超えたユニット２の識別を警告することが好ましい。
【００４２】
受信装置３はさらに、第二の電磁波発信手段７から構成されることが好ましく、ユニット２の発信手段４と同様の型であり、および電磁波を発信するのに適することが好ましい。
【００４３】
最後に、装置３は品目１５、特に携帯電話、ＰＤＡまたはパームトップ・コンピュータなどから成る電子デバイスと一体化されることが可能である。
【００４４】
前記電子デバイスの多くは、電磁信号、特にブルートゥース信号の受信、処理、発信、および表示する手段が既に備わる。
従って、電子デバイスのソフトウェアまたはファームウェアの単純な修正は、本発明による装置３の製品で十分に行うことができる。
【００４５】
図３は携帯電話に一体化される装置３を図式的に示す。
【００４６】
前記図では、発信手段７および受信手段５は電子ボードによって図式的に、仮想的に、および表示の目的のためいくつかの部分に分けられて示される。
【００４７】
発信ユニット２には、取り外し可能な方法で品目１５に接続されることができる実質的に閉鎖される独立シェルが備わる。前記シェルは異なる形および色を有することが可能である。
【００４８】
前記の関連する発信ユニット２には、好ましくは機械的な、または磁気型である接続機構８が備わる。
【００４９】
それらは図式的および典型的に図４に図示される。
【００５０】
発信ユニット２のシェルは異なる形および機能を有し、および接続機構８は様々な方法で構成されることが可能である。
【００５１】
例として、前記接続装置はクリップ、キーリング、ペンダント、紙幣クリップ、接着要素、磁石要素などから成ることが可能である。
【００５２】
前述されたように、発信ユニット２はそれぞれ、少なくとも一つの存在信号を装置３へ、継続的または断続的に送信するよう適合する電磁波発信手段４から構成される。
【００５３】
特定されるように、ユニット２によって発信される信号の存在または不在は、ユニット２と装置３の間の相互距離の閾値が超過しているか否かを決定する。
【００５４】
好ましくは、ユニット２は、装置３の受信手段５と類似し、および装置３の第二発信手段７からの信号を受信および処理するよう適合する第二受信手段９から構成される。
【００５５】
前記の場合は、ユニット２は少なくともユニット２と装置３の間の相互距離の前記閾値の超過を警告するよう適合する、第二信号伝達手段１０から構成されることが好ましい。
【００５６】
第二信号伝達手段１０は、好ましくは音響手段から成る。
【００５７】
ユニット２はさらに、発信手段４、第二受信手段９、および第二信号伝達手段１０に電力を供給するよう適合する、電池１１から構成されることが好ましい。
【００５８】
また、ユニット２は適切な第二信号伝達手段１０によって電磁誘導充電されうる。
【００５９】
前記の場合は、発信手段２は既知のＲＦＩＤから成りうる。
【００６０】
電池１１は既知の型で、およびその充電制御のため制御要素１２に適切に連結される。前記制御要素は、電池１１の充電レベルを識別するよう適合し、特に電池１１が弱くなっているかどうかの検出に適する。前記機能は既知であり、および例として前記電池１１の電圧変化の制御を経由して実行される。
【００６１】
制御要素１２は、装置３と通信する発信手段４と適切に通信する。
【００６２】
前記装置３は続いて、信号伝達手段６を経由して電池１１が弱くなっていることを警告する。
【００６３】
最後に、装置３は第二信号伝達手段１０を起動させ、およびさらにユニット２の調節をするよう適合する制御手段１３から構成される。
【００６４】
上記に構造的に記述される品目１５を管理するための装置１の操作は、下記の通りである。
【００６５】
ユニット２は、要求される品目１５、特に例として、財布、鍵など日中忘れてはならないよく使用する品目１５に、接続機構８を用いて接続される。
【００６６】
さらに、携帯電話から適切に構成される品目１５は装置３と一体化されることが好ましい。
【００６７】
装置３およびユニット２は従って、項目１５の相互距離の検証ができるネットワークを構成する。
【００６８】
この状況は図２ａおよび２ｂに示される。
【００６９】
特に図２ａは、二つのユニット２および装置３が接続される品目１５のネットワークの操作を示す。すべてのユニット２は信号伝達手段５が備わる装置３と通信する。
【００７０】
ユニット２が閾値距離を超える場合、装置３はその存在を検出しないので、および従って不在を警告する。
【００７１】
ユニット２または装置３は継続的に信号を発信する必要はなく、事実、好ましくは調節可能にかつ１分間に１回より多く、より好ましくは３０秒ごとに１回より多く、特定の周期でパルス信号を発信すれば十分である。
【００７２】
従って、例として使用者がユニット２の備わる品目を家に置いてきてしまった場合、および外出時に所持し忘れてしまった場合、装置１は役に立つ。
【００７３】
前記の場合には、使用者が閾値距離より遠い距離に及ぶと、装置３は音または同様のものを通してユニット２の信号の不在を警告し、および品目１５の不在とその識別を表示する。この時点では、使用者は素早く家に戻りかつ品目１５を取ってくる、または忘れた品目を取り戻す必要がない場合は受信手段５の電源を切るよう決定することが可能である。
【００７４】
図２ｂは、ユニット２が第二受信手段９および第二信号伝達手段１０から構成され、装置３が第二発信手段７から構成される場合の、ユニット２と装置３が接続される品目１５のネットワークの操作を示す。
【００７５】
この場合、すべての品目１５はユニット２または装置３を用いて互いに通信し、および少なくとも一つの品目は、他のユニット２または装置３の閾値が超過されていることを警告することが可能である。
【００７６】
この場合、もし使用者が装置３を忘れた場合には、使用者が所持する、ユニット２が備わるすべての品目１５は音響信号を経由して、距離閾値が超過したことを警告する。
【００７７】
しかしながら、装置３のみがディスプレイシステムから構成されることが望ましい。従って、装置３のみがユニット１の識別を表示することが可能である。
【００７８】
さらに、ユニット２を識別する名前は制御手段１３を通して前記使用者によって適切に調節可能であるので、使用者はユニット２が接続される品目１５を直ちに識別することが可能である。
【００７９】
装置３はさらに、閾値が超過したときのみならず、他の距離値も警告することが好ましい。
【００８０】
装置３とユニット２の相互距離は、距離の二乗で変化するものとして既知である信号強度の測定によって検出されることが可能である。前記の場合は、閾値は装置３の制御手段１３を通して適切に選択が可能である。
【００８１】
制御手段１３を通して、様々なユニット２の音あるいは信号を起動または終了することも可能である。さらに、ユニット２、および必要ならば装置３が距離閾値の超過をもはや警告しなくなるの時間の間隔を選択することが可能である。
【００８２】
装置３はその後、ユニット２の電池１１が弱くなっていることを警告するので、不十分な電源によって装置がユニット２の不在を信号伝達する可能性を排除することができる。
【００８３】
最後に、装置３はユニット２が備わる品目１５の高速検索が可能である。
【００８４】
装置２の音信号が容易に追跡されるよう、制御手段１３を通して第二信号伝達手段１０を起動することも十分である。
【００８５】
本発明は前述の発信ユニット２および装置１の新規使用から構成される。
【００８６】
特にユニット２は身の回り品目１５の補助要素として使用される。
【００８７】
記述された型の身の回り品目１５と結合されるのは稀である。
【００８８】
前記ユニットは、特に受信装置３とユニット２の相互距離、および特に距離閾値の超過を制御するために使用される。
【００８９】
装置１もまた、受信装置３とユニット２の相互距離、および特に相互距離閾値の超過を制御するために使用される。
【００９０】
本発明は重要な利点を達成する。
【００９１】
装置１は、一つ以上の前記品目１５が忘れられているか、または置き忘れられたかどうかを警告することが可能であり、およびさらに置き忘れられた品目１５を識別することが可能である。
【００９２】
追加的利点は、装置１が前記品目１５の盗難または置き忘れを阻止することができることにより生じる。
【００９３】
さらに、装置１はかさばらない。装置３は品目１５に一体化され、同様にユニット２は小型の品目１５にさえ問題ないほど小型である。
【００９４】
最後に、装置１は第二信号伝達手段１０を通して置き忘れ品目１５の高速検索ができる。
【符号の説明】
【００９５】
１装置
２発信ユニット
３受信装置
４発信手段
５受信手段
６信号伝達手段
６ａ音響拡散器
６ｂディスプレイシステム
７第二発信手段
８接続機構
９第二受信手段
１０第二信号伝達手段
１１電池
１２制御要素
１３制御手段
１５品目
【図１】
2010504574.tif 000003
【図２ａ】
2010504574.tif 000004
【図２ｂ】
2010504574.tif 000005
【図３】
2010504574.tif 000006
【図４】
2010504574.tif 000007
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
電磁信号を発信する少なくとも一つの発信ユニット（２）および前記電磁信号を受信する受信装置（３）から構成される型の、所持品および同様のものを管理するための装置において、前記発信ユニット（２）は前記品目（１５）の一つに接続されることが可能であり、および前記受信装置（３）は携帯および持ち運びに適合し、および前記受信装置（３）と前記発信ユニット（２）の間の少なくとも一つの距離閾値の超過を信号伝達するよう適合する信号伝達手段（６）から構成され、前記受信装置（３）は前記発信装置（２）を識別するよう適合し、前記受信装置（３）は携帯電話と一体化されることを特徴とする装置。
【請求項２】
前記発信装置（２）は、前記ユニット（２）と前記品目（１５）の一つを接続するのに適合する接続装置（８）から構成される、前記品目（１５）の一つと連結されることが可能である取り外し可能なシェルから構成される、請求項１に記載の装置。
【請求項３】
前記発信ユニット（２）および前記受信装置（３）は、前記電磁信号の送信および受信の両方に適合する、請求項１に記載の装置。
【請求項４】
前記発信ユニット（２）は、前記閾値より大きい前記受信装置（３）からの距離を信号伝達するのに適合する第二信号伝達手段（１０）から構成される、請求項１に記載の装置。
【請求項５】
前記電磁信号は２〜３ＧＨｚの間の周波数を有する、請求項１に記載の装置。
【請求項６】
前記電磁信号は周波数約２．６ＧＨｚを有する、請求項６に記載の装置。
【請求項７】
前記受信装置（３）は前記発信ユニット（２）からの距離を信号伝達するよう適合する、請求項１に記載の装置。
【国際調査報告】
2010504574.tif 000008
2010504574.tif 000009
2010504574.tif 000010